(57)【特許請求の範囲】
【請求項１】
前面開口の断熱箱体からなる本体内には、前面開口の熱良導性の貯蔵箱が間隔を開けて収容され、前記本体と前記貯蔵箱との間に冷気が流通する冷気通路が構成された冷却貯蔵庫において、
前記本体の内面には前記冷気通路を構成するべく縦向きのスペーサが設けられるとともに、
貯蔵物を載せる棚を支持する棚柱が、前記貯蔵箱の内面における裏側に前記スペーサが配された位置に当てられ、前記棚柱の縦方向に間隔を開けた複数箇所においてリベットが同棚柱の表面側から前記貯蔵箱に形成された挿通孔を貫通して前記スペーサに打ち込まれることにより、前記棚柱ともども前記貯蔵箱が前記本体に固定されており、
かつ、前記貯蔵箱における前記棚柱の取付面には、同貯蔵箱を前記スペーサに対して仮固定するべく仮固定用のリベットを打ち込むための補助リベット孔が、前記挿通孔の縦列と同一直線上に形成されていることを特徴とする冷却貯蔵庫。
【請求項２】
前記本体の天井部には冷却器と冷却ファンとを収納した冷却器室が設けられる一方、同冷却器室の手前側に吸込口が、奥側に吹出口がそれぞれ設けられ、前記吸込口から吸い込まれた空気が前記冷却器を通過する間に冷気が生成されて同冷気が吹出口から吹き出されることにより、前記冷気通路に冷気が循環流通されるものであって、
前記本体の奥面には複数のスペーサが水平方向に間隔を開けて並んで設けられ、前記棚柱が前記貯蔵箱の奥面を挟んで前記スペーサに固定されるようになっていることを特徴とする請求項１記載の冷却貯蔵庫。
【請求項３】
前記スペーサが、前記本体の奥面の全高よりも短い縦長形状に形成され、同スペーサが前記本体の奥面の上部側に設けられており、前記棚柱は、上部側が、前記貯蔵箱の奥面を挟んでリベットにより前記スペーサに固定される一方、下部側が、前記貯蔵箱の奥面に対して直接にリベットにより固定されていることを特徴とする請求項２記載の冷却貯蔵庫。
【請求項４】
前記仮固定用のリベットの補助リベット孔は、前記棚柱の取付面のうちの少なくとも２つの取付面に設けられていることを特徴とする請求項２または請求項３記載の冷却貯蔵庫。
【請求項５】
前記本体の底面には、前後方向に細長い底部スペーサが複数本左右方向に間隔を開けて並んで設けられ、前記貯蔵箱の底面が前記底部スペーサ上に載置されるようになっており、並び方向の両端の前記底部スペーサには、前記貯蔵箱の底部の左右両側を挟む位置決め板が立ち上がり形成されていることを特徴とする請求項２ないし請求項４のいずれか一項に記載の冷却貯蔵庫。
【発明の詳細な説明】
【技術分野】
【０００１】
本発明は、二重箱構造の冷却貯蔵庫に関する。
【背景技術】
【０００２】
例えば恒温高湿庫は、前面開口の断熱箱体からなる本体内に、同じく前面開口の熱良導性の貯蔵箱が間隔を開けて配設され、本体と貯蔵箱の間に構成された冷気通路に冷凍装置で生成された冷気を流通させることにより、貯蔵箱の内部の貯蔵室を間接冷却するようになっている（例えば、特許文献１参照）。  
ここで例えば、本体と貯蔵箱の奥面同士の間に、冷気の流通を可能とした所定の間隔を確保するための手段として、本体の奥面には、縦向きのチャンネル材等からなるスペーサが複数本横方向に間隔を開けて設けられ、同スペーサに貯蔵箱の奥面が当てられて取り付けられるようになっている。
【０００３】
一方、貯蔵室内では、棚柱に多段に棚が支持されて貯蔵物が載せられるようになっているが、棚柱には大きな荷重が掛かるために補強が必要であり、例えば貯蔵箱の奥面に配される棚柱は、上記のスペーサに固定することで補強を図るようにしていた。具体的には、本体の奥面の上部位置に、縦向きのスペーサが横方向に間隔を開けて設けられ、そして各棚柱は、その上部側が、貯蔵箱の奥面を挟んだ状態でスペーサに対してリベットで固定され、一方下部側では、貯蔵箱の奥面に対して直接にリベットで固定されている。スペーサの配設位置を本体の奥面の上部側に限ったのは、スペーサの長さを必要最小限として軽量化を図る等のためである。
【特許文献１】特開平１１−３２５６９５号公報
【発明の開示】
【発明が解決しようとする課題】
【０００４】
上記した取付構造を実現するには、棚柱に対しては複数のリベット孔が一定ピットで全高にわたって形成される。スペーサについては、棚柱における上部側の数個のリベット孔と整合する同数のリベット孔が形成される。また、貯蔵箱の奥面の上部側では、スペーサのリベット孔と対応する位置ごとに大径の挿通孔が開口される一方、下部側では、棚柱における下部側の残りの数個のリベット孔と整合する同数のリベット孔が形成される。  
そして、棚柱を固定するに当たっては、上段側から順次に、貯蔵箱の挿通孔を通しつつ棚柱とスペーサのリベット孔にわたってリベットを打ち込むのであるが、その打ち込み作業に伴って貯蔵箱の位置がずれることが懸念される。リベットをスペーサに対して打ち込んでいるときは、貯蔵箱の挿通孔が大径であるから同挿通孔内でリベットを逃がしつつリベットの打ち込みが可能ではあるが、貯蔵箱の奥面に直接にリベットを打ち込む下部側になると、貯蔵箱の位置がずれると棚柱とのリベット孔同士が合わなくなって、リベット打ちができなくなる。そのため、リベットを打ち込むに当たっては、貯蔵箱が位置ずれしないように気を配って作業を行う必要があり、作業に手間が掛かるという問題があった。  
本発明は上記のような事情に基づいて完成されたものであって、その目的は、見栄えも考慮した上で貯蔵箱の位置ずれを防止するところにある。
【課題を解決するための手段】
【０００５】
本発明は、前面開口の断熱箱体からなる本体内には、前面開口の熱良導性の貯蔵箱が間隔を開けて収容され、前記本体と前記貯蔵箱との間に冷気が流通する冷気通路が構成された冷却貯蔵庫において、前記本体の内面には前記冷気通路を構成するべく縦向きのスペーサが設けられるとともに、貯蔵物を載せる棚を支持する棚柱が、前記貯蔵箱の内面における裏側に前記スペーサが配された位置に当てられ、前記棚柱の縦方向に間隔を開けた複数箇所においてリベットが同棚柱の表面側から前記貯蔵箱に形成された挿通孔を貫通して前記スペーサに打ち込まれることにより、前記棚柱ともども前記貯蔵箱が前記本体に固定されており、かつ、前記貯蔵箱における前記棚柱の取付面には、同貯蔵箱を前記スペーサに対して仮固定するべく仮固定用のリベットを打ち込むための補助リベット孔が、前記挿通孔の縦列と同一直線上に形成されているところに特徴を有する。
【０００６】
上記構成によれば、貯蔵箱をスペーサに対して予め仮固定するようにしたから、棚柱を貯蔵箱を挟んでスペーサにリベットで固定する際に貯蔵箱が位置ずれおそれがなく、棚柱と貯蔵箱との固定部位同士が整合状態に保持される。言い換えると、棚柱を固定する場合に貯蔵箱の位置ずれをいちいち気にする必要がないから、同作業を短時間で能率良く行うことができる。しかも、貯蔵箱を仮固定するべく補助リベット孔に配された仮固定用のリベットは棚柱で隠されるから、見栄えもよい。
【０００７】
また、以下のように構成としてもよい。  
前記本体の天井部には冷却器と冷却ファンとを収納した冷却器室が設けられる一方、同冷却器室の手前側に吸込口が、奥側に吹出口がそれぞれ設けられ、前記吸込口から吸い込まれた空気が前記冷却器を通過する間に冷気が生成されて同冷気が吹出口から吹き出されることにより、前記冷気通路に冷気が循環流通されるものであって、前記本体の奥面には複数のスペーサが水平方向に間隔を開けて並んで設けられ、前記棚柱が前記貯蔵箱の奥面を挟んで前記スペーサに固定されるようになっている。  
奥側の冷気通路において冷気が上部から下部に向けて流通されるものであって、貯蔵室の奥面に配される棚柱を同奥側の冷気通路に配されたスペーサに固定する場合に、同固定作業が簡単に行える。
【０００８】
前記スペーサが、前記本体の奥面の全高よりも短い縦長形状に形成され、同スペーサが前記本体の奥面の上部側に設けられており、前記棚柱は、上部側が、前記貯蔵箱の奥面を挟んでリベットにより前記スペーサに固定される一方、下部側が、前記貯蔵箱の奥面に対して直接にリベットにより固定されている。
棚柱を貯蔵箱に直接にリベットで固定する部分があると、貯蔵箱の位置ずれが固定不能に顕著に影響するが、貯蔵箱の位置ずれが防止されることで、棚柱を貯蔵箱に直接に固定することも確実に行うことができる。
【０００９】
前記仮固定用のリベットの補助リベット孔は、前記棚柱の取付面のうちの少なくとも２つの取付面に設けられている。貯蔵箱を仮固定する箇所を最小限に留めたことで、トータルの取付工数をさらに減少できる。
前記本体の底面には、前後方向に細長い底部スペーサが複数本左右方向に間隔を開けて並んで設けられ、前記貯蔵箱の底面が前記底部スペーサ上に載置されるようになっており、並び方向の両端の前記底部スペーサには、前記貯蔵箱の底部の左右両側を挟む位置決め板が立ち上がり形成されている。貯蔵箱を仮固定する際の位置決めがよりしやすくなる。
【発明の効果】
【００１０】
本発明によれば、貯蔵箱をスペーサに対して仮固定したから、棚柱を固定する場合に貯蔵箱が位置ずれすることが防止される。しかも、貯蔵箱を仮固定した仮固定用のリベットは棚柱で隠されるから、見栄えにも優れる。
【発明を実施するための最良の形態】
【００１１】
＜実施形態＞
以下、本発明の一実施形態を図１ないし図２８によって説明する。本実施形態では、４ドアタイプの恒温高湿庫を例示している。  
先に全体構造を説明する。図１及び図２において、符号１０は本体であって、前面開口の断熱箱体により形成され、底面の四隅に配された脚１１で支持されている。本体１０の内部には、同じく前面開口の貯蔵箱４０が間隔を開けて収納され、同間隔によって冷気通路１２が形成されているとともに、貯蔵箱４０の内部が貯蔵室４１となっている。貯蔵室４１内には、貯蔵物を載置する棚網８８が、棚柱８０を介して複数段に配設されている。本体１０の前面開口部１４には十字形をなす仕切枠１５が嵌められ、上下二段にわたって左右２個ずつの出入口１６が形成されており、それぞれ一対ずつの断熱扉１７が観音開き式に装着されている。
【００１２】
本体１０の上面には、パネルで囲まれた機械室１９が設けられている。機械室１９の底面、すなわち本体１０の天井壁の奥側には窓孔２０が開口され、この窓孔２０を閉鎖するようにして断熱性のユニット台２１が載置されている。ユニット台２１の上面には、圧縮機２３、空冷式の凝縮器２４等を備えた冷凍装置２２が載置されている。  
一方、本体１０内の天井部の奥側には、エアダクト２５が張られることで冷却器室２６が形成され、ユニット台２１の下面に取り付けられた冷却器２７が収納されている。この冷却器２７と冷凍装置２２とは冷媒配管で循環接続され、周知の冷凍サイクルが構成されている。冷却器室２６における冷却器２７の前側には吸込口２９Ａが設けられて冷却ファン２８が設置され、上記した冷気通路１２の上部位置に臨んでいる。
【００１３】
そして、冷凍装置２２並びに冷却ファン２８が駆動されると、上面側の冷気通路１２の空気が吸込口２９Ａから冷却器室２６内に引かれて冷却器２７を通過する間に冷気が生成され、その冷気が奥側の吹出口２９Ｂから吹き出されて冷気通路１２に循環流通し、この冷気によって貯蔵箱４０の壁面が冷却され、その内部の貯蔵室４１は壁面から間接的に冷却される。そのため貯蔵室４１内は、高湿度を保ったままで所定の温度に冷却されるようになっている。  
なお、間接冷却の場合は、貯蔵室４１の内面、特に天井面に結露が生じる可能性があるため、貯蔵室４１の天井面の下方には、露受け皿３０が着脱可能に配設されている。  
また適宜に除霜運転が行われ、冷却器２７からの除霜水は、その下面に配されたドレンパン３２で受けられたのち、奥面に突設された排水管３２Ａから、本体１０の壁面に形成された排水路３３を通って庫外に排出されるようになっている。
【００１４】
本体１０の内部に貯蔵箱４０を組み付ける部分の構造について、詳細に説明する。  
本体１０は、上記したように、前面開口部１４を有する若干縦長の矩形をなす断熱箱体により形成されており、同断熱箱体は、ともにステンレス鋼板等の金属板からなる外箱３５内に内箱３６を間隔を開けて収納し、両箱３５，３６の間に発泡断熱材３７を充填した構造である。前面開口部１４の周面は、図１８等に示すように、外箱３５と内箱３６のそれぞれの開口縁の間に、合成樹脂製のジョイナ３８が装着されることで形成されている。
【００１５】
貯蔵箱４０は、図３にも示すように、ステンレス鋼板等の熱良導性の金属板により、上記した本体１０よりも一回り小さい前面開口の箱形に形成されている。貯蔵箱４０はより詳細には、図４に示すように、天板４２、底板４３、左右の側板４４、並びに左右に２分割された奥板４５から構成されており、天板４２は奥下がりの斜め姿勢に、逆に底板４３は前下がりの斜め姿勢に配されているとともに、底板４３の前縁は、天板４２と左右の側板４４の前縁から少し奥に引っ込んでいる。
【００１６】
貯蔵箱４０は基本的には、隣り合う板４２〜４５の互いに突き合わせされる端縁にそれぞれフランジが設けられ、そのフランジ同士が重ねられてリベットで固定されることにより、組み付けられるようになっている。  
そのため天板４２では、左右の側縁並びに後縁に、上向きに直角またはほぼ直角に屈曲されたフランジ４２Ｓ，４２Ｒが形成されている。底板４３では、左右の側縁並びに後縁に、立ち上がり部４３Ａが形成されたのち、それぞれの上縁から外側に直角曲げされたフランジ４３Ｓ，４３Ｒが形成されている。  
左右の側板４４では、上縁には板面と面一に延出された形態でフランジ４４Ｕが形成されている一方、奥縁と下縁には、外側に直角曲げされたフランジ４４Ｒ，４４Ｄが形成されている。
【００１７】
左右の奥板４５では、互いに突き合わせされる側縁に、後側に直角曲げされたフランジ４５Ｔが形成されている。また、上縁には板面と面一に延出された形態でフランジ４５Ｕが形成されているとともに、下縁には、後側に直角曲げされたフランジ４５Ｄが形成されている。さらに、互いに離間した側縁には、手前側に直角曲げされた屈曲部４５Ａが形成されたのち、それぞれの前縁から外側を向いたフランジ４５Ｓが形成されている。  
上記した各フランジには、複数個のリベット孔４７が長さ方向に間隔を開けて開口されている。
【００１８】
また、天板４２、底板４３並びに左右の側板４４の前縁には、それぞれ外側に直角またはほぼ直角に屈曲されたフランジ４２Ｆ，４３Ｆ及び４４Ｆが形成され、各フランジ４２Ｆ，４３Ｆ及び４４Ｆの突出縁には、後方へ折り返された折り返し部４２Ｘ，４３Ｘ及び４４Ｘが形成されている（それぞれ図１９、図２７及び図１８参照）。ここで、天板４２の前縁のフランジ４２Ｆは、側板４４、底板４３の前縁のフランジ４４Ｆ，４３Ｆと比較して、突出長さが大きくなっている。
【００１９】
貯蔵箱４０の組み付けの一例は、以下のようである。左右２枚の奥板４５がフランジ４５Ｔ同士を重ねてリベットを打ち込むことで１枚に連結される。１枚に連結された奥板４５の下縁のフランジ４５Ｄと、左右の側板４４の下縁において外向きに形成されたフランジ４４Ｄが、底板４３の後縁並びに左右の側縁に形成された外向きのフランジ４３Ｒ，４３Ｓの上に載せて重ねられ、リベット４８（図６参照）で固定される。奥板４５の互いに離間した側縁に設けられたフランジ４５Ｓが、左右の側板４４における後縁のフランジ４４Ｒの外面に重ねられてリベットで固定される。  
天板４２の後縁並びに左右の側縁に形成された上向きのフランジ４２Ｒ，４２Ｓが、奥板４５と左右の側板４４の上縁において面一に延出されたフランジ４５Ｕ，４４Ｕの内面に入れられて重ねられ、リベット４８（図５参照）で固定される。以上により、前面開口の貯蔵箱４０が組み付けられるようになっている。
【００２０】
貯蔵箱４０の左右の側板４４の外面には、補強材５０が装着されている。この補強材５０は金属製であって、図５及び図６にも示すように、比較的浅いチャンネル状に形成され、側板４４の全高よりも所定寸法大きい長さを有している。同補強材５０の基板５１の上端部には、図示２個のリベット孔５２が横方向に間隔を開けて形成されている。一方、基板５１の下縁では、下面板５３が内側に直角曲げされて形成され、同下面板５３にリベット孔５２が形成されている。
【００２１】
この実施形態では、補強材５０が左右の側板４４の外面に当てられ、図６に示すように、下面板５３が、下縁のフランジ４４Ｄの上面に当てられて、下面板５３のリベット孔５２が、フランジ４４Ｄに開口された４個のリベット孔４７のうち手前から３番目のリベット孔４７と整合されると、図５に示すように、補強材５０の基板５１の上縁部が、側板４４の上縁のフランジ４４Ｕの外面に当てられ、特に、上縁部の２個のリベット孔５２のうちの手前のリベット孔５２が、フランジ４４Ｕに開口された手前から２番目のリベット孔４７と整合する設定となっている。
【００２２】
より詳細には、上記した貯蔵箱４０の組み付け時において、左右の側板４４の下縁側では手前から３番目のリベット孔４７、上縁側では手前から２番目のリベット孔４７には、リベットを打ち込まないままに留める。そして、上記箇所以外にリベット４８を打ち込んで貯蔵箱４０が組み付けられたら、図６に示すように、補強材５０の下面板５３を、側板４４の下縁側のフランジ４４Ｄの上に重ねて、同下面板５３のリベット孔５２と、フランジ４４Ｄ，４３Ｓ側の手前から３番目のリベット孔４７を整合させ、図８に示すように、リベット４８を打ち込んで固定する。
【００２３】
そうすると、補強材５０の基板５１の上縁部が、側板４４の上縁側のフランジ４４Ｕの外面に重なって、補強材５０の手前のリベット孔５２が、フランジ４４Ｕ，４２Ｓ側の手前から２番目のリベット孔４７と整合するから、図７に示すように、同様にリベット４８を打ち込んで固定する。  
これにより、補強材５０は、図３に示すように、左右の側板４４の外面上における奥行のほぼ中央部において、下縁側が少し奥に引っ込んだ斜め姿勢で固定される。  
なお、後記するように、貯蔵箱４０が本体１０内に組み付けられたときには、図２に示すように、補強材５０の上端の位置が、冷却器室２６に設けられた吸込口２９Ａよりも少し奥側に位置するようになっている。
【００２４】
また、この補強材５０は、奥行を異にする貯蔵箱４０の補強にも兼用して使用できるようになっている。貯蔵箱４０の奥行が異なると、側板４４の上下のフランジ４４Ｕ，４４Ｄに設けられるリベット孔４７の間隔等が異なる場合がある。この実施形態では、例えば上記よりも奥行の小さい貯蔵箱４０に兼用する場合を想定しており、補強材５０の下面板５３のリベット孔５２を、下側のフランジ４４Ｄにおける特定のリベット孔４７と整合させた場合に、補強材５０の基板５１の上縁部において２個設けられたリベット孔５２のうち、奥側のリベット孔５２が、上側のフランジ４４Ｕにおける特定のリベット孔４７と整合するようになっており、すなわち奥側のリベット孔５２を使用してリベット４８が打ち込まれる。  
なお、兼用する貯蔵箱４０が３種類以上になれば、それに応じて、補強材５０の基板５１の上縁部に開口するリベット孔５２の数を増加すればよい。
【００２５】
さらに、貯蔵箱４０の取付構造を説明する。貯蔵箱４０は、上記したように、本体１０の内壁面との間に所定の間隔を開けて収容されるようになっており、そのため、図９にも示すように、本体１０の内底面１０Ａには、奥行方向を向いた図示３本の底部スペーサ６０Ａ，６０Ｂが、幅方向に間隔を開けて取り付けられている。中央部の底部スペーサ６０Ａはチャンネル材を伏せたような形状で、両端の２本の底部スペーサ６０Ｂは、アングル材を背中合わせに立てたような形状であって、いずれの底部スペーサ６０Ａ，６０Ｂも、奥側から手前に向けて次第に背が低くなっており、その上面の受け面６１が、貯蔵箱４０の底板４３の傾斜に倣って、手前側が低くなった傾斜面となっている。各底部スペーサ６０Ａ，６０Ｂの前端の位置は、本体１０の前面開口部１４よりも所定寸法奥側に引っ込んでいる。  
両端の底部スペーサ６０Ｂでは、受け面６１の外側の側縁から位置決め板６２が立ち上がり形成されており、両位置決め板６２の間隔が、貯蔵箱４０の底部の左右両側縁を挟むことができる間隔に設定されている。
【００２６】
既述したように、貯蔵箱４０の底板４３の前縁には下向きに曲げられたフランジ４３Ｆが形成されて、その下縁から後方へ折り返された折り返し部４３Ｘが形成されている。  
図２７に参照して示すように、本体１０の内底面１０Ａにおける底部スペーサ６０Ａ，６０Ｂの前端から所定寸法手前の位置には、上記した貯蔵箱４０の底板４３の折り返し部４３Ｘを固定する固定面６４が設定され、この固定面６４には、間口方向の中央と両端の都合３箇所に、ねじ孔６５が形成されている。  
一方、貯蔵箱４０の底板４３の折り返し部４３Ｘには、ねじ孔６５の形成位置と対応する３箇所に、各ねじ孔６５に螺合（仮止め）されたねじ６６の軸部を径方向に挿通可能な挿通溝６７が、折返端から手前に切り込み形成されている。また、貯蔵箱４０の底板４３の前縁部における各挿通溝６７の奥端の上方に対応する位置ごとに、ねじ６６を締め付けるためのドライバＤを上方から挿通可能な治具挿通孔６８が開口され、さらに各治具挿通孔６８に嵌着されるキャップ６８Ａが備えられている。
【００２７】
本体１０内の奥面には、その上方領域（全高のほぼ２／３の領域）において、縦方向を向いた図示３本の奥部スペーサ７０Ａ，７０Ｂが、間口方向に間隔を開けて取り付けられている。  
中央部の奥部スペーサ７０Ａは、一対のアングル材７１が、互いに向き合った姿勢で配され、各アングル材７１における本体１０の奥面に当たる端縁から外側に直角曲げされた取付板７１Ａが、本体１０の奥面にリベット等で固定されて取り付けられている。ここで、両アングル材７１の互いに向き合った側板の端縁の間には所定の間隔が開けられていて、上記した貯蔵箱４０における左右の奥板４５を繋いだフランジ４５Ｔを挿入可能な逃がし溝７２が形成されている。  
左右両側の奥部スペーサ７０Ｂは、基本的にはチャンネル材からなり、開口側を互いに向き合わせた姿勢でそれぞれ配されており、特に奥側の側板すなわち本体１０の奥面に当てられる側の側板が、手前側の側板よりも幅広に張り出して形成され、同奥側の側板の張り出した側縁部が、本体１０の奥面にリベット等で固定されて取り付けられている。  
各奥部スペーサ７０Ａ，７０Ｂの手前側の表面が、貯蔵箱４０の奥板４５を当てる当接面７３となっており、したがって、両端の奥部スペーサ７０Ｂは１本の縦長の当接面７３を備え、中央の奥部スペーサ７０Ａでは、逃がし溝７２を挟んだ両側に２本の縦長の当接面７３を備えている。  
なお、左右の奥部スペーサ７０Ｂにおける底板の上縁からは、手前側に拡幅されたガイド板７４が連設されていて、図２に示すように、上記した吹出口２９Ｂ内に突入して配されている。  
また、奥部スペーサ７０Ａ，７０Ｂの下方位置には、上方に開口したアングル材からなる２本のガイド部材７５が、横向きに並んで取り付けられている。このガイド部材５１は、図３に参照して示すように、奥面に沿って上方から降りて来た冷気が、それよりも下方に流下するのを規制することに機能する。
【００２８】
既述したように、貯蔵箱４０の内部によって貯蔵室４１が形成されるが、貯蔵室４１内は、便宜上左右２部屋に分けられ、図１０に示すように、各部屋において、その側壁（側板４４）の手前側の縁部に１本の棚柱８０が取り付けられるとともに、奥壁（奥板４５）に左右一対の棚柱８０が取り付けられるようになっている。特に、奥側の４本の棚柱８０については、その上部側が、奥板４５を挟んで奥部スペーサ７０Ａ，７０Ｂに対して固定されるようになっている。  
奥側の４本の棚柱８０の取付構造を詳細に説明する。棚柱８０は、図１４に示すように、チャンネル材を伏せたような形状であって、その表面には、棚受金８８Ａを取り付けるための多数の取付孔８１が、全高にわたって一定ピッチで形成されている。また、棚柱８０の同表面には、図示６個のリベット孔８２が上下方向に一定間隔を開けて形成されている。このリベット孔８２は、図１６に示すように、奥狭まりの円錐台状に形成されている。
【００２９】
貯蔵室４０の奥壁、詳細には、図１１に示すように、左右の奥板４５の繋ぎ目を挟んだ両側と、両奥板４５の互いに離間した側縁部の都合４箇所に、奥側の棚柱８０の取付面８３が設定されている。この取付面８３はまた、奥部スペーサ７０Ａ，７０Ｂの各当接面７３と対応した位置にある。  
各取付面８３には、棚柱８０の６個のリベット孔８２と整合して、６個のリベット８４Ａの取付用孔が開口されているが、図１２にも示すように、下側の２個は、リベット８４Ａの頭部に係止する小径のリベット孔８５であるのに対して、上側の４個は、上記のリベット孔８５よりも大径でリベット８４Ａの軸部がクリアランスを持って挿通される挿通孔８６となっている。一方、奥部スペーサ７０Ａ，７０Ｂの各当接面７３には、上記した取付面８３の上４個の挿通孔８６と同心に整合した位置ごとに、リベット８４Ａの頭部に係止する小径のリベット孔７６が形成されている。  
したがって、詳しくは後記するように、奥側の棚柱８０における上側の部分（全高のほぼ２／３）は、奥板４５を挟んだ状態で奥部スペーサ７０Ａ，７０Ｂに対してリベット８４Ａで固定され、下側の部分は、奥板４５に対して直接にリベット８４Ａで固定されることになる。
【００３０】
上記に加え、貯蔵箱４０の各取付面８３には、例えば上から２番目の挿通孔８６の所定寸法上方位置に、仮固定用のリベット８４Ｂを打ち込むための補助リベット孔８７が形成されている。一方、奥部スペーサ７０Ａ，７０Ｂの当接面７３にも、上から２番目のリベット孔７６の所定寸法上方位置に、詳細には貯蔵箱４０の補助リベット孔８７と同心に整合する位置に、同仮固定用のリベット８４Ｂを打ち込むための補助リベット孔７７が形成されている。  
そのため、整合した補助リベット孔８７，７７同士にリベット８４Ｂを打ち込むことにより、貯蔵箱４０を奥部スペーサ７０Ａ，７０Ｂに対して固定できるようになっている。本実施形態では、間口方向の両端の２箇所で、仮固定用のリベット８４Ｂが打ち込まれるようになっている。  
なお、側壁（側板４４）の手前側の縁部に配される棚柱８０は、側板４４に対して直接にリベットで固定されるようになっており、そのため、側板４４の手前側の端縁に沿って、６個のリベット孔８５が、棚柱８０のリベット孔８２と整合した位置ごとに形成されている。
【００３１】
貯蔵箱４０が本体１０内の正規位置に収容された際には、図１７及び図１８に示すように、貯蔵箱４０の左右の側板４４の前縁に形成されたフランジ４４Ｆの折り返し部４４Ｘと、本体１０の前面開口部１４の左右の周面（ジョイナ３８の表面）における庫内側の端縁との間に隙間Ｓａができる。また、図１９に示すように、天板４２の前縁に形成されたフランジ４２Ｆの折り返し部４２Ｘと、本体１０の前面開口部１４の上側の周面（ジョイナ３８の表面）における庫内側の端縁との間に隙間Ｓａができる。これらの隙間Ｓａを塞ぐために、閉鎖部材９０が備えられている。
【００３２】
この閉鎖部材９０は、軟質合成樹脂材を押出成形して形成されており、切断長を変えることで、側板４４側用と天板４２側用とに使い分けられるようになっている。  
まず、側板４４側の閉鎖構造を説明すると、側板４４側の閉鎖部材９０は、側板４４の前縁のフランジ４４Ｆの全高に匹敵する長さを有しているが、長さ方向の中央部において分断されている。これは、貯蔵箱４０の両側板４４の前縁のフランジ４４Ｆを、本体１０の前面開口部１４の左右の周面に取り付けるべく連結板９３を逃がすためのスペースを確保することを意図している。
【００３３】
閉鎖部材９０は、図１８に示すように、一面側に３枚のひれ部９１Ａ，９１Ｂ，９１Ｃが、他面側の基端側に１枚のひれ部９１Ｄを備えた形状であって、対応する隙間Ｓａ内に弾性変形させつつ嵌め込まれ、図１７に示すように、一面側の基端のひれ部９１Ｃを、本体１０の前面開口部１４の左右の周面における庫内側の端縁に密着させ、また他面側のひれ部９１Ｄを、フランジ４４Ｆの表面に密着させた状態で、同隙間Ｓａを塞ぐようになっている。  
なお、上記した連結板９３は金属板製であって、図１７に示すように、長寸の第１取付部９４Ａの一側縁における長さ方向の中央部に、短寸の第２取付部９４Ｂが直角曲げされて形成されており、第１取付部９４Ａが側板４４のフランジ４４Ｆに、また第２取付部９４Ｂが、本体１０の前面開口部１４を構成する内箱３６のフランジ３６Ａに、それぞれリベット止めにより固定されるようになっている。そのため上記したように、閉鎖部材９０は第１取付部９４Ａの固定スペースを確保するべく間隔を開けて分断されているとともに、内箱３６のフランジ３６Ａにおける取付面を露出するために、ジョイナ３８の対応箇所が切り欠かれている。
【００３４】
次に、天板４２側の閉鎖構造を説明する。天板４２側の閉鎖部材９０は、天板４２の前縁のフランジ４２Ｆの全長に匹敵する長さを有する一本物とした備えられる。  
一方、図１９に示すように、本体１０の天面における前面開口部１４に寄った位置には、天板４２のフランジ４２Ｆの折り返し部４２Ｘとの間に、閉鎖部材９０の挿入空間を形成するべく壁板９５が取り付けられている。この壁板９５は、金属板製であって、前面開口部１４の間口寸法にほぼ匹敵する長さを有し、クランク形断面に形成されている。同壁板９５は、上側の水平部９６Ａを天面に当てて複数箇所にリベット９７を打ち込むことで固定され、このとき下側の水平部が壁部９６Ｂとなって、本体１０の前面開口部１４の上側の周面（ジョイナ３８の表面）とほぼ面一に配され、フランジ４２Ｆの折り返し部４２Ｘとの間に同隙間Ｓａを開けて対向するようになっている。なお、壁部９６Ｂの前縁はフランジ４２Ｆの位置まで進出し、後縁は、折り返し部４２Ｘの突出端から、同折り返し部４２Ｘの折り返し幅より少し短い寸法だけさらに後方に達している。
【００３５】
閉鎖部材９０が、図１９に示すように、壁部９６Ｂと、フランジ４２Ｆの折り返し部４２Ｘとの間に弾性変形させつつ嵌め込まれると、図２０に示すように、一面側の基端のひれ部９１Ｃを、本体１０の前面開口部１４の上側の周面における庫内側の端縁に、先端側の２枚のひれ部９１Ａ，９１Ｂを壁部９６Ｂにそれぞれ密着させ、また他面側のひれ部９１Ｄを、フランジ４２Ｆの表面の突出端側に密着させた状態で、隙間Ｓａを塞ぐようになっている。
【００３６】
また、天板４２の前縁のフランジ４２Ｆの裏面側にも冷気が流通する可能性があり、特に、同フランジ４２Ｆに冷気が当たって冷却されると、同フランジ４２Ｆは、左右の側板４４の前縁のフランジ４４Ｆと比較すると突出長さが大きく形成されていて、閉鎖部材９０のひれ部９１Ｄで覆えるのも突出端側の一部に限られるから、同フランジ４２Ｆの表面に結露が生じやすいと言える。そこで、同天板４２のフランジ４２Ｆの裏面に冷気が当たることを規制する規制板１００が装着されている。  
なお、天板４２のフランジ４２Ｆは、上記したように突出長さが大きいがために、閉鎖部材９０を差し込んだときに曲げ変形するおそれがある。そのため規制板１００に対して、フランジ４２Ｆの曲げ変形を防止するべく補強する機能を備えるようにしている。
【００３７】
規制板１００は、剛性の高い金属板を曲げ加工して形成されており、天板４２の前縁に寄った位置に取り付けられるようになっており、図４にも示すように、天板４２の前縁の長さに匹敵する長さ寸法を有している。規制板１００は、図１９に示すように、天板４２の上面に倣って斜め姿勢となった幅広の取付部１０１を有し、その取付部１０１の前縁から規制部１０２が上方に向けて立ち上がり形成されている。同規制部１０２は、フランジ４２Ｆとほぼ同じ背の高さである。また、規制部１０２の上縁からは、前方を向けて補強部１０３が曲げ形成されている。補強部１０３は、折り返し部４２Ｘとほぼ同じ幅を有している。
【００３８】
規制板１００の取付構造は、以下のようである。まず、一部既述したように、間接冷却される貯蔵室４１の天井面には結露が生じる可能性があるため、貯蔵室４１の天井面の下方に、露受け皿３０が着脱可能に配設されている。  
露受け皿３０は２枚備えられていて、それぞれ貯蔵室４１内で分けられた左右２部屋の天井面の下方を受けるような方形の浅皿状に形成されており、図２に概略を示すように、天井面の傾斜にほぼ倣って奥壁側が下がった斜め姿勢で配設され、同奥壁が、貯蔵室４１の奥壁の上端部に設けられた受け部材１０５に嵌められて保持されるようになっている。
一方、露受け皿３０の前壁側では、図１９の鎖線に示すように、前壁の上縁から後方に向くように差込部３０Ａが形成され、同差込部３０Ａが、貯蔵室４１の天面の前縁位置に設けられたブラケット１０６に差し込まれて支持されるようになっている。
【００３９】
同ブラケット１０６は金属板製であって、図４に示すように、一対ずつが２組備えられている。このブラケット１０６は、図１９に示すように、貯蔵室４１の天井面に当てられる取付部１０７Ａの前縁に短寸の垂下部１０７Ｂが形成され、同垂下部１０７Ｂの垂下端から斜め上方の前方を向いた挟持部１０７Ｃが曲げ形成されている。挟持部１０７Ｃの先端部は斜め下方に曲げられて、ガイド部１０７Ｄが形成されている。  
これらのブラケット１０６が、貯蔵箱４０の天板４２の前縁に沿った所定間隔を開けた４箇所に配され、詳細には、ガイド部１０７Ｄをフランジ４２Ｆの前面に突出させた状態で取付部１０７Ａが天板４２の下面に当てられ、同取付部１０７Ａにリベット１０８を打ち込むことで固定されるようになっている。そして、上記した規制板１００は、同リベット１０８を利用して併せて固定されるようになっている。
【００４０】
そのため、ブラケット１０６の取付部１０７Ａのほぼ中央部には、リベット孔１０９が形成されている一方、天板４２におけるブラケット１０６の各取付面には、リベット１０８の軸部をクリアランスを持って挿通する挿通孔１１０が、ブラケット１０６のリベット孔１０９と整合して開口されている。  
規制板１００の取付部１０１には、奥行方向の中央部から少し奥側に寄った位置に、４個のリベット孔１１１が、天板４２の挿通孔１１０と同じ間隔を開けて左右方向に並んで形成されている。そして、リベット孔１１１を天板４２の挿通孔１１０と整合させた状態で取付部１０１を天板４２の上面に当てると、規制部１０２が、フランジ４２Ｆの折り返し部４２Ｘの先端付近で立ち上がり、補強部１０３が折り返し部４２Ｘの下面側に若干のクリアランスを持って潜り込み、その先端がフランジ４２Ｆの裏面の上端部の直近に突出するようになっている。
【００４１】
取付手順の一例としては、規制板１００の取付部１０１が天板４２の上面に当てられたのち、補強部１０３をフランジ４２Ｆの折り返し部４２Ｘの下面に潜らせつつ取付部１０１を滑らせて、各リベット孔１１１を挿通孔１１０と整合させ、その位置に保持する。この状態から、挟持部１０７Ｃを手前に向けた所定の姿勢としたブラケット１０６の取付部１０７Ａを天板４２の下面の取付面に当てて、リベット孔１０９を挿通孔１１０と整合させ、挿通孔１１０を通して両リベット孔１０９，１１１にリベット１０８を打ち込んで固定する。これを他のブラケット１０６についても行う。
【００４２】
以上により、天板４２の下面側には４個のブラケット１０６が、上面側には規制板１００がそれぞれ所定位置に固定される。ブラケット１０６が上記のように取り付けられると、露受け皿３０の前壁側に設けられた差込部３０Ａが、挟持部１０７Ｃを弾性変形させつつ天板４２の下面と挟持部１０７Ｃとの間に前方から抜き差し可能とされる。  
一方、天板４２の上面に規制板１００が固定されると、規制部１０２が、フランジ４２Ｆの裏面から間隔をおいた後方位置で立ち上がって、冷気がフランジ４２Ｆの裏面に直接に当たることを規制するとともに、フランジ４２Ｆの裏面側に、規制部１０２、補強部１０３（折り返し部４２Ｘ）及び天板４２の前縁部で囲まれた断熱空間１１３が構成される。また、補強部１０３の先端が、フランジ４２Ｆの裏面の上端部の直近に突出した状態となる。
【００４３】
また、貯蔵箱４０が本体１０内に収容されかつ閉鎖部材９０が装着された場合、例えば図２１に示すように、本体１０の前面開口部１４における下側の両コーナ部１１５と、貯蔵箱４０における下側の開口縁の両コーナ部１１６との間には隙間Ｓｂができる。すなわち、貯蔵箱４０の底板４３の前縁は、左右の側板４４や天板４２の前縁と比べて奥側に後退しており、その後退した前縁にフランジ４３Ｆを形成している関係上、底板４３の前縁の両端部が切り欠かれていることに加えて、側板４４の前縁側の下端部も広範囲にわたって切り欠かれている。その結果、本体１０の前面開口部１４における下側のコーナ部１１５の奥側には、側板４４の前縁のフランジ４４Ｆまでに続いて、側板４４の前縁側の下端部と底板４３の前縁の両端部にわたる隙間Ｓｂができ、その隙間Ｓｂを埋める必要が生じる。
【００４４】
一方、本体１０の前面開口部１４の各コーナ部１１５には、外観の良さ等を考慮してコーナカバーが装着されるようになっている。ここでは、コーナカバーのうち、特に下側の左右の両コーナ部１１５に装着されるコーナカバー１２０に対して、上記した隙間Ｓｂを覆う覆い部１２１が一体形成されている。  
まず、本体１０の前面開口部１４の下面では、その両端部においてジョイナ３８が切除され、それに代わって金属製の補強板１１７が張られ、外箱３５と内箱３６のフランジ３５Ａ，３６Ａにわたってリベット１１８により固定されている。
【００４５】
コーナカバー１２０は合成樹脂製であって、図２１に示すように、本体１０の前面開口部１４の端部に張られた補強板１１７から、側板４４のフランジ４４Ｆに至るまでの部分を覆う幅広部１２２Ａと、側板４４の前縁側の下端部における切り欠き部分の内側の領域から、貯蔵箱４０の底板４３の前縁における両端部の上面を覆う幅狭部１２２Ｂとが連設された形状となっている。幅狭部１２２Ｂの奥側の端部は、底板４３に開口された治具挿通孔６８を覆えるように延出されている。  
幅広部１２２Ａ、段差部及び幅狭部１２２Ｂにわたる外側の端縁には、側壁１２３が立ち上がり形成され、図２２に参照して示すように、前面開口部１４の側面、貯蔵箱４０の側板４４のフランジ４２Ｆ及び同側板４４の下端部にわたって当接可能となっている。また、幅広部１２２Ａの奥側部分から幅狭部１２２Ｂの途中位置の内側の端縁には、前面開口部１４の下面における裏側の口縁から、貯蔵箱４０の底板４３のフランジ４３Ｆの間を閉じる閉鎖壁１２４が、下向きに形成されている。  
なお、幅広部１２２Ａの前縁から側壁１２３の前縁にわたって、小幅のフランジ１２５が形成され、前面開口部１４のコーナ部１１５における表側の口縁に当接可能となっている。
【００４６】
コーナカバー１２０の取付構造としては、幅広部１２２Ａの中央部に、補強板１１７に当たる浅い座部１２６Ａが凹み形成され、その座部１２６Ａにねじ１２７の挿通孔が形成されているとともに、補強板１１７の対応位置に、同ねじ１２７が螺合可能なねじ孔１２８が切られている。一方、幅狭部１２２Ｂには、深い２つの座部１２６Ｂが長さ方向に並んで凹み形成されており、各座部１２６Ｂは、本体１０の内底面１０Ａに当接可能であって、同じく各座部１２６Ｂにねじ１２７の挿通孔が形成されているとともに、内底面１０Ａの対応位置にねじ孔（図示せず）が切られている。  
また、各座部１２６Ａ，１２６Ｂの上面開口に嵌着されるキャップ１２９が備えられている。
【００４７】
すなわちコーナカバー１２０は、本体１０の前面開口部１４のコーナ部１１５と、このコーナ部１１５と貯蔵箱４０のコーナ部１１６との間の隙間Ｓｂとを覆って当てられ、３箇所にわたって設けられた座部１２６Ａ，１２６Ｂをねじ１２７で止めることによって固定される。各座部１２６Ａ，１２６Ｂの上面開口には、キャップ１２９が嵌められて塞がれる。  
これにより、図２２に示すように、コーナカバー１２０における幅広部１２２Ａ（側壁１２３を含む）の大部分によって前面開口部１４のコーナ部１１５が覆われ、同時に、幅広部１２２Ａの奥側の一部と幅狭部１２２Ｂの手前側の領域（側壁１２３と閉鎖壁１２４とを含む）により、本体１０の前面開口部１４のコーナ部１１５と貯蔵箱４０のコーナ部１１６との間の隙間Ｓｂが覆われることになる。  
なお、図２１に示すように、側板４４の下縁の前縁部において、フランジ４４Ｆとの間にスリット１３１が入れられ、また折り返し部４２Ｘの下端部を切除した（切除部１３２）から、コーナカバー１２０を嵌めたときに、フランジ４４Ｆの下部を弾性変形させつつ、側壁１２３の段差部分１２３Ａを密着させることができ、より隙間なく装着することができる。
【００４８】
続いて、本実施形態の組立手順の一例を説明する。  
まず、貯蔵箱４０が組み立てられる。繰り返すと、図３に示すように、天板４２、底板４３、左右の側板４４、並びに左右に２分割された奥板４５が、それぞれの突き合わせ端縁に設けられたフランジ同士を重ねてリベット４８で固定することにより、前面開口の箱形に組み立てられる。  
ここで特に、左右の側板４４は縦長の１枚板であって、本体１０には直接に固定されないため、補強することが好ましい。そのため左右の側板４４の外面に対して、補強材５０が取り付けられる。補強材５０は、下縁側が少し奥側に引っ込んだ斜め姿勢で当てられ、その上下両端が、側板４４の下部側のフランジ４４Ｄ，４３Ｓと、上部側のフランジ４４Ｕ，４２Ｓとに対して、リベット４８によるいわゆる共締めによって固定される。補強材５０を取り付けるに当たって、貯蔵箱４０の内面すなわち貯蔵室４１の内面に取付痕が残らない。
【００４９】
また、貯蔵箱４０の天板４２における前縁のフランジ４２Ｆの裏面側には、規制板１００がリベット１０８により固定される。このとき、露受け皿３０の前壁側を差し込んで保持するブラケット１０６が併せて取り付けられる。規制板１００が取り付けられると、図２０に示すように、規制部１０２が、フランジ４２Ｆの裏面から間隔をおいた後方位置で立ち上がった状態となるとともに、フランジ４２Ｆの裏面側に断熱空間１１３が構成され、また、補強部１０３の先端がフランジ４２Ｆの裏面の上端部の直近に突出した状態となる。  
さらに、左右の側板４４の内面における手前側の端縁寄りの位置に、棚柱８０がそれぞれリベット８４Ａで取り付けられる。
【００５０】
一方、本体１０側では、図３に示すように、内底面１０Ａに、奥行方向を向いた３本の底部スペーサ６０Ａ，６０Ｂが取り付けられる。それとともに、図２７に参照して示すように、底部スペーサ６０Ａ，６０Ｂの前方に設定された固定面６４の３個のねじ孔６５に、それぞれねじ６６が仮止めされる。また、本体１０の奥面における上方領域において、縦方向を向いた３本の奥部スペーサ７０Ａ，７０Ｂが取り付けられるとともに、その下方に、２本の横向きのガイド部材７５が取り付けられる。  
さらに、天井壁に開口された窓孔２０の下面側を覆うようにして、冷却ファン２８を装着したエアダクト２５が取り付けられる（図２参照）。また、図１９に示すように、本体１０の天面における前面開口部１４に寄った位置に、壁板９５が取り付けられる。
【００５１】
この状態から、本体１０内に貯蔵箱４０が入れられる。それに先立ち、図２３に示すように、前面開口部１４の下側の周面を覆うようにして保護部材１３５Ａが被せられる。また、前面開口部１４の左右の周面からその前側の口縁部を覆うようにして保護部材１３５Ｂが当てられ、マグネット１３６で固定される。  
貯蔵箱４０は、図２４に示すように、本体１０の前面開口部１４を通して内部に入れられる。貯蔵箱４０は、底板４３の前縁が、天板４２と左右の側板４４の前縁から少し奥に引っ込んだ構造となっているから、貯蔵箱４０の前面開口を極力大きく取る、すなわち本体１０の前面開口部１４との間にできる隙間を極力小さく抑えた構造としながらも、本体１０内に入れることができる。
【００５２】
図２５に示すように、貯蔵箱４０の底板４３の前縁のフランジ４３Ｆが、本体１０の前面開口部１４の下側の周面を越えたところで、同フランジ４３Ｆが本体１０の内底面１０Ａの手前の端部に落ち込み、また貯蔵箱４０の底板４３の後縁部が、底部スペーサ６０Ａ，６０Ｂの受け面６１に当てられる。このとき、左右両端の底部スペーサ６０Ｂの位置決め板６２の間に、貯蔵箱４０の底部の左右両側縁が挟まれた状態となる。  
貯蔵箱４０はさらに、底板４３のフランジ４２Ｆを本体１０の内底面１０Ａ上を滑らせ、また貯蔵箱４０の底板４３の後縁部を、底部スペーサ６０Ａ，６０Ｂの受け面６１上を滑らせつつ、位置決め板６２で案内されて真直に奥に押し込まれる。この間に、底板４３のフランジ４３Ｆの折り返し部４３Ｘに形成された挿通溝６７が仮止めされているねじ６６の軸部に挿通される。  
貯蔵箱４０は、その奥板４５が奥部スペーサ７０Ａ，７０Ｂの当接面７３に当たったところで押し込みが停止され、そのとき底板４３が、底部スペーサ６０Ａ，６０Ｂの受け面６１の全面にべた当たりして載せられるとともに、仮止めされたねじ６６が挿通溝６７の奥端に達する。そののち、適宜に保護部材１３５Ａ，１３５Ｂが外される。
【００５３】
上記のように貯蔵箱４０が入れられたら、本体１０に対して固定される。  
貯蔵箱４０の奥板４５が奥部スペーサ７０Ａ，７０Ｂに当てられると、奥板４５に設定された棚柱８０の取付面８３が、奥部スペーサ７０Ａ，７０Ｂの対応する当接面７３に当てられる。貯蔵箱４０は、底部スペーサ６０Ａ，６０Ｂにべた当たりして受けられて上下方向において定位置にあり、また位置決め板６２で左右方向の位置決めもなされているから、取付面８３の補助リベット孔８７と、当接面７３の補助リベット孔７７同士が整合している。仮に左右方向にずれていたしても、貯蔵箱４０を底部スペーサ６０Ａ，６０Ｂ上で左右に移動させれば、取付面８３の補助リベット孔８７と、当接面７３の補助リベット孔７７同士を簡単に整合させることができる。  
そして、図１２，図１３及び図１５に示すように、４組ある補助リベット孔８７，７７の組のうち、間口方向における両端の２箇所の補助リベット孔８７，７７の組に対して、仮固定用のリベット８４Ｂが打ち込まれ、これにより貯蔵箱４０が本体１０（奥部スペーサ７０Ｂ）に対して仮固定された状態となる。
【００５４】
続いて、奥側の４本の棚柱８０が装着される。上記のように貯蔵箱４０が仮固定された状態では、奥板４５の各取付面８３に開口された上側の４個の挿通孔８６が、対応する奥部スペーサ７０Ａ，７０Ｂの当接面７３に形成された４個のリベット孔７６と整合している。棚柱８０が奥板４５の取付面８３に正規に当てられると、棚柱８０の６個のリベット孔８２のうち、上側の４個のリベット孔８２が、取付面８３の挿通孔８６を通して、奥部スペーサ７０Ａ，７０Ｂの当接面７３の４個のリベット孔７６と整合し、また下側の２個のリベット孔８２は、取付面８３の下側の２個のリベット孔８５と整合する。  
各棚柱８０を取付面８３に正規に当てたら、例えば上側から順次にリベットの打ち込み作業が行われ、上側の４箇所については、図１４及び図１６に示すように、挿通孔８６を通して棚柱８０のリベット孔８２と奥部スペーサ７０Ａ，７０Ｂのリベット孔７６にわたってリベット８４Ａが打ち込まれ、下側の２箇所では、棚柱８０のリベット孔８２と取付面８３のリベット孔８５にわたってリベット８４Ａが打ち込まれる。
【００５５】
その結果、奥側の４本の棚柱８０は、上側の部分（全高のほぼ２／３）が、奥板４５を挟んだ状態で奥部スペーサ７０Ａ，７０Ｂに対してリベット８４Ａで固定され、下側の部分は、奥板４５に対して直接にリベット８４Ａで固定された状態となり、貯蔵箱４０の奥板４５が本体１０（奥部スペーサ７０Ａ，７０Ｂ）に固定されることと併せて、棚柱８０の受け強度の増強が図られる。  
ここで、棚柱８０にリベット８４Ａの打ち込みを行う前に、貯蔵箱４０の奥板４５と奥部スペーサ７０Ｂとの間に仮固定用のリベット８４Ｂを打ち込んで、貯蔵箱４０を仮固定するようにしている。そのため、特に挿通孔８６を通して棚柱８０のリベット孔８２と奥部スペーサ７０Ａ，７０Ｂのリベット孔７６にわたってリベット８４Ａを打ち込んで固定する、すなわち棚柱８０を奥板４５を挟んで奥部スペーサ７０Ａ，７０Ｂにリベット８４Ａで固定する場合に、貯蔵箱４０が位置ずれするおそれがなく、したがって同棚柱８０の下側のリベット孔８２と、奥板４５の取付面８３のリベット孔８５とが整合状態に保持される。言い換えると、棚柱８０をリベット８４Ａで固定する場合に貯蔵箱４０の位置ずれをいちいち気にする必要がないから、同作業を短時間で能率良く行うことができる。しかも、貯蔵箱４０を仮固定するべく打ち込まれたリベット８４Ｂは、使用されなかって補助リベット孔８７，７７も含めて、棚柱８０によって隠されるから、見栄えも良いものとなる。
【００５６】
次に図２７に示すように、貯蔵箱４０の底板４３の前縁に開口された治具挿通孔６８からドライバＤを通し、仮止めしてあるねじ６６を本締めする。これが３箇所において行われ、底板４３のフランジ４３Ｆの折り返し部４３Ｘが本体１０の内底面１０Ａに密着して固定される。３つの治具挿通孔６８は、それぞれキャップ６８Ａで塞がれる。  
また、貯蔵箱４０の左右の側板４４が、本体１０の前面開口部１４に対して固定される。左側の側板４４を例に取ると、図１７に示すように、取付板９３の第１取付部９４Ａがフランジ４４Ｆに当てられて２箇所をリベット止めされ、また第２取付部９４Ｂが、本体１０の前面開口部１４を構成する内箱３６のフランジ３６Ａにリベット止めされて固定される。右側の側板４４も同様に固定される。
【００５７】
続いて、図１８に示すように、貯蔵箱４０における左右の側板４４のフランジ４４Ｆと、本体１０の前面開口部１４の左右の周面との間にできた隙間Ｓａに対し、既述した要領で閉鎖部材９０が嵌められて塞がれる。  
また、図１９に示すように、天板４２のフランジ４２Ｆと、本体１０の前面開口部１４の上側の周面との間にできた隙間Ｓａに対しても、閉鎖部材９０が嵌められて塞がれる。ここで、天板４２のフランジ４２Ｆは、上記したように突出長さが大きいがために、閉鎖部材９０を差し込んだときに奥側に曲げられやすいと言えるが、フランジ４２Ｆの裏面の上端部の直後には、規制板１００に設けられた補強部１０３が進出しているから、フランジ４２Ｆに対して奥側への曲げ力が作用した場合も補強部１０３に当たることでそれ以上曲げられることが防止され、塑性変形するまでには至らない。
【００５８】
次に、本体１０の前面開口部１４の４つのコーナ部にコーナカバーが固定される。特に、下側の両コーナ部に対しては、既述したように、コーナカバー１２０が装着されて塞がれる。これにより、図２８に示すように、本体１０の内部に貯蔵箱４０を組み付ける作業が完了する。なお、同図では、エアダクト２５等、一部が省略されている。  
そののち、本体１０の前面開口部１４内に十字形をなす仕切枠１５が嵌められて固定される。ここで、仕切枠の縦枠１５Ａの背面には、左右一対の棚柱（図示せず）が固定されている。また、前面開口部１４に対して、４枚の断熱扉１７が装着される。さらに、本体１０の上面には機械室１９が形成され、冷凍装置２２並びに冷却器２７が装備されて、恒温高湿庫が完成される。  
また図２に示すように、貯蔵室４１の左右の側板４４の外面における全高にわたり、上端が手前に若干突出した斜め姿勢で装着された補強材５０は、その上端が、吸込口２９Ａよりも少し奥側に位置している。
【００５９】
本恒温高湿庫の使用形態は以下のとおりである。貯蔵室４１の天井部には、露受け皿３０が装着される。また貯蔵室４１内には、棚柱８０を利用して複数段にわたって棚網８８が張られ、棚網８８上に貯蔵物が載せられる。  
冷却運転時は、冷却器２７により生成された冷気が、奥側の吹出口２９Ｂから貯蔵箱４０の背面側の冷気通路１２に吹き出され、ガイド部材７５によりそれより下方への流下が規制されることから、図３に参照して示すように、左右両側の冷気通路１２に回り込み、そののち、図２にも示すように、左右両側の冷気通路１２を立ち上って上面側の冷気通路１２に流入し、吸込口２９Ａから冷却器室２６内に吸い込まれるといったように循環流通する。  
ここで、貯蔵箱４０の左右の側板４４には、奥行のほぼ中央部において、補強材５０が、上端が手前に若干突出した斜め姿勢で全高にわたって装着されているから、左右両側の冷気通路１２に回り込んだ冷気は、補強材５０に沿うように立ち上り、すなわち補強材５０が、冷気について層流のような状態で流通させるガイドとして機能し、冷気をスムーズに流通させることに寄与する。このような冷気の循環流通により貯蔵室４１内は間接冷却され、そのため貯蔵室４１内は高湿度を保ったままで所定の温度に冷却される。
【００６０】
冷気通路１２に冷気が循環流通する際、貯蔵箱４０の天板４２や側板４４の前縁のフランジ４２Ｆ，４４Ｆの裏面側にも冷気が流通する可能性があり、特に、天板４２のフランジ４２Ｆに冷気が当たって冷却されると、同フランジ４２Ｆは、左右の側板４４のフランジ４４Ｆと比較すると突出長さが大きく形成されていて、閉鎖部材９０のひれ部９１Ｄで覆えるのも突出端側の一部に限られるから、同フランジ４２Ｆの表面に結露が生じやすいと言える。  
しかしながら、天板４２のフランジ４２Ｆの裏面に向かう冷気は、規制板１００の規制部１０２で遮られて同フランジ４２Ｆの裏面に直接に当たることが回避され、しかも規制部１０２とフランジ４２Ｆとの間には間隔が開けられて断熱空間１１３が構成されていることで熱伝導も抑えられるから、同フランジ４２Ｆが冷却されることが極力避けられる。その結果、天板４２の前縁のフランジ４２Ｆの表面に結露することが防止される。
【００６１】
本実施形態では、以下のような作用効果を得ることができる。  
この実施形態では、貯蔵室４１の奥面に設けられる棚柱８０について、その補強を図るために、上部側は、貯蔵箱４０の奥板４５を挟んで本体１０に設けられた奥部スペーサ７０Ａ，７０Ｂに対してリベット８４Ａで固定する一方、下部側は、貯蔵箱４０の奥板４５に対して直接にリベット８４Ａで固定するようにしている。具体的な取付構造としては、棚柱８０には６個のリベット孔８２が一定ピッチでほぼ全高に形成されるとともに、奥部スペーサ７０Ａ，７０Ｂの当接面７３には、棚柱８０の上部側の４個のリベット孔８２と整合する同数のリベット孔７６が形成される。また、貯蔵箱４０の奥板４５に設定された棚柱８０の取付面８３には、その上部側に、奥部スペーサ７０Ａ，７０Ｂのリベット孔７６と対応する位置ごとに大径の挿通孔８６が開口される一方、下部側に、棚柱８０における下部側の残りの２個のリベット孔８２と整合する同数のリベット孔８５が形成される。
【００６２】
このような取付構造において、棚柱８０を固定するには、貯蔵箱４０を本体１０内に入れてその奥板４５を奥部スペーサ７０Ａ，７０Ｂに当てたのち、棚柱８０を奥板４５の取付面８３に当てて対応する孔同士を整合させ、上から順次に、貯蔵箱４０の挿通孔８６を通しつつ棚柱８０と奥部スペーサ７０Ａ（７０Ｂ）のリベット孔７６にわたってリベット８４Ａを打ち込むのであるが、その打ち込み作業に伴って貯蔵箱４０の位置がずれることが懸念される。リベット８４Ａを奥部スペーサ７０Ａ（７０Ｂ）に対して打ち込んでいるときは、貯蔵箱４０の挿通孔８６が大径であるから同挿通孔８６内でリベット８４Ａを逃がしつつリベット８４Ａの打ち込みが可能ではあるが、貯蔵箱４０の奥板４５に直接にリベット８４Ａを打ち込む下部側になると、貯蔵箱４０の位置がずれると、棚柱８０のリベット孔８２と、奥板４５のリベット孔８５同士が合わなくなって、リベット打ちができなくなり、そのため従来では、リベット８４Ａを打ち込むに当たっては、貯蔵箱４０が位置ずれしないように気を配って作業を行う必要があった。
【００６３】
それに対して本実施形態では、貯蔵箱４０の奥板４５の取付面８３と、対応する奥部スペーサ７０Ａ，７０Ｂの当接面７３とに、仮固定用のリベット８４Ｂを打ち込むための補助リベット孔８７，７７が形成され、取付面８３の４個の挿通孔８６と、奥部スペーサ７０Ａ，７０Ｂの同数のリベット孔８５とが整合した際に、両補助リベット孔８７，７７が整合するようになっている。  
すなわち、棚柱８０にリベット８４Ａの打ち込みを行う前に、貯蔵箱４０の奥板４５と奥部スペーサ７０Ａ，７０Ｂの補助リベット孔８７，７７に対して仮固定用のリベット８４Ｂを打ち込むことで、貯蔵箱４０が本体１０（奥部スペーサ７０Ａ，７０Ｂ）に対して仮固定される。本実施形態では、仮固定用のリベット８４Ｂの打ち込み箇所が、棚柱８０の取付面８３の数と同じく４箇所設定されているが、ここでは、両端の２箇所のみが使用されている。
【００６４】
そのため、特に挿通孔８６を通して棚柱８０のリベット孔８２と奥部スペーサ７０Ａ，７０Ｂのリベット孔７６にわたってリベット８４Ａを打ち込んで固定する、すなわち棚柱８０を奥板４５を挟んで奥部スペーサ７０Ａ，７０Ｂにリベット８４Ａで固定する場合に、貯蔵箱４０が位置ずれするおそれがなく、したがって同棚柱８０の下側のリベット孔８２と、奥板４５の取付面８３のリベット孔８５とが整合状態に保持される。言い換えると、棚柱８０をリベット８４Ａで固定する場合に貯蔵箱４０の位置ずれをいちいち気にする必要がないから、同作業を短時間で能率良く行うことができる。  
しかも、貯蔵箱４０を仮固定するべく打ち込まれたリベット８４Ｂは、使用されなかった補助リベット孔８７も含めて、棚柱８０によって隠されるから、見栄えも良いものとなる。
【００６５】
貯蔵箱４０の仮固定箇所は、間口方向に並んだ４箇所のうちの両端の２箇所に設定したから、取付工数を最小限に留めながらも、貯蔵箱４０を安定して仮固定することができる。  
また、貯蔵箱４０は、本体１０の内底面１０Ａに設けられた底部スペーサ６０Ａ，６０Ｂで受けられるようになっていて、両端の底部スペーサ６０Ｂには、貯蔵箱４０の底部の左右両側を挟む位置決め板６２が立ち上がり形成されているから、貯蔵箱４０の左右方向の位置決めがなされ、奥板４５と奥部スペーサ７０Ａ，７０Ｂの補助リベット孔８７，７７同士が自ずから整合されるか、仮に左右方向にずれていたしても、貯蔵箱４０を移動させれば簡単に整合させることができる。そのため、貯蔵箱４０を本体１０に仮固定する作業自体が簡単となる。
【００６６】
＜他の実施形態＞
本発明は上記記述及び図面によって説明した実施形態に限定されるものではなく、例えば次のような実施形態も本発明の技術的範囲に含まれる。  
（１）上記実施形態では、貯蔵箱を仮固定可能な箇所が４つ準備され、そのうち両端の２箇所で仮固定したのであるが、４箇所すべてを使用する等、２箇所以上の任意の位置で仮固定するようにしてもよい。  
（２）仮固定箇所の高さ位置も、任意に設定できる。  
（３）逆に、仮固定に使用しない箇所には、補助リベット孔を設けないようにしてもよい。
【００６７】
（４）本発明は、貯蔵室の側面に配される棚柱がスペーサに対して固定される場合にも、同様に適用することが可能である。
【図面の簡単な説明】
【００６８】
【図１】本発明の一実施形態に係る恒温高湿庫の正面図
【図２】その縦断面図
【図３】本体と貯蔵箱との組付前の状態を示す分解斜視図
【図４】貯蔵箱の分解斜視図
【図５】補強材の上端側の取付動作を示す斜視図
【図６】その下端側の取付動作を示す斜視図
【図７】補強材の上端側の固定構造を示す斜視図
【図８】その下端側の固定構造を示す斜視図
【図９】底部スペーサの配設構造を示す斜視図
【図１０】棚柱の配設位置を示す斜視図
【図１１】奥部スペーサとそれに固定される棚柱の斜視図
【図１２】貯蔵箱を奥部スペーサに仮固定する動作を示す一部切欠斜視図
【図１３】貯蔵箱が仮固定された状態を示す一部切欠斜視図
【図１４】奥側の棚柱の取付動作を示す斜視図
【図１５】貯蔵箱の奥板が奥部スペーサに仮固定された状態の断面図
【図１６】棚柱が奥部スペーサに固定された状態の断面図
【図１７】貯蔵箱の側板のフランジを本体の前面開口部に固定する動作を示す斜視図
【図１８】貯蔵箱の側板側で閉鎖部材を装着する動作を示す断面図
【図１９】貯蔵箱の天板側で閉鎖部材を装着する動作を示す断面図
【図２０】閉鎖部材の装着後の断面図
【図２１】コーナカバーを装着する前の状態の斜視図
【図２２】コーナカバーの装着完了後の斜視図
【図２３】保護部材の装着動作を示す斜視図
【図２４】貯蔵箱を本体内に挿入する途中の縦断面図
【図２５】挿入動作の終盤の状態の縦断面図
【図２６】貯蔵箱が正規に挿入された状態の縦断面図
【図２７】貯蔵箱の底板における前縁のフランジを本体の内底面に固定する動作を示す断面図
【図２８】本体と貯蔵箱との組み付けが完了した状態の一部を省略した斜視図
【符号の説明】
【００６９】
１０…本体  １０Ａ…内底面  １２…冷気通路  ２６…冷却器室  ２７…冷却器  ２８…冷却ファン  ２９Ａ…吸込口  ２９Ｂ…吹出口  ４０…貯蔵箱  ４１…貯蔵室  ４５…奥板  ７０Ａ，７０Ｂ…奥部スペーサ（スペーサ）  ７３…当接面  ７６…リベット孔  ７７…補助リベット孔  ８０…棚柱  ８２…リベット孔  ８３…取付面  ８４Ａ…リベット（固定部材）  ８４Ｂ…リベット（仮固定部材）  ８５…リベット孔  ８６…挿通孔  ８７…補助リベット孔（取付部）  ８８…棚
【図１】
0005052236.tif 000002
【図２】
0005052236.tif 000003
【図３】
0005052236.tif 000004
【図４】
0005052236.tif 000005
【図５】
0005052236.tif 000006
【図６】
0005052236.tif 000007
【図７】
0005052236.tif 000008
【図８】
0005052236.tif 000009
【図９】
0005052236.tif 000010
【図１０】
0005052236.tif 000011
【図１１】
0005052236.tif 000012
【図１２】
0005052236.tif 000013
【図１３】
0005052236.tif 000014
【図１４】
0005052236.tif 000015
【図１５】
0005052236.tif 000016
【図１６】
0005052236.tif 000017
【図１７】
0005052236.tif 000018
【図１８】
0005052236.tif 000019
【図１９】
0005052236.tif 000020
【図２０】
0005052236.tif 000021
【図２１】
0005052236.tif 000022
【図２２】
0005052236.tif 000023
【図２３】
0005052236.tif 000024
【図２４】
0005052236.tif 000025
【図２５】
0005052236.tif 000026
【図２６】
0005052236.tif 000027
【図２７】
0005052236.tif 000028
【図２８】
0005052236.tif 000029